(57)【要約】　　　（修正有）【課題】一枚の段ボールから、簡単、迅速に折り上げられ、そして、底抜けする恐れがなく、軽く、極力安価に製造でき、しかも底部に継ぎ目のないダンボール箱を提供する。【解決手段】折畳片４Ｆは、半切り線Ｒを底辺とし、重合用折り目Ｓと切れ目Ｔとが直角を挟む二等辺からなる直角二等辺三角形であり、また、折畳片４Ｆは、半切り線Ｒを介して上記面グループ１１と連接し、一方、折畳片４Ｆは、重合用折り目Ｓを介して面グループ１２と連接するとともに切れ目Ｔにより面グループ１２と切り離れてなり、そして、上記面グループ１１は折り目Ｐを介して夫々側壁面３Ｇ、上記折畳片４Ｆと連接する底面４Ｅおよび側壁面３Ｆが連接してなり、面グループ１２は折り目Ｑを介して夫々底面２、側壁面３Ｅ、折畳片４Ｆと連接する底面４Ｄおよび側壁面３Ｄが連接した形態を備える。【選択図】図３
0003099415.tif 000002
【実用新案登録請求の範囲】
【請求項１】
折畳片４Ｆとこれを挟んで夫々連接する面グループ１１と面グループ１２とからなる略矩形状の段ボール１０を折曲することにより、段ボール箱１３が折り上がる様にしたものであって、
前記折畳片４Ｆは、半切り線Ｒを底辺とし、重合用折り目Ｓと切れ目Ｔとが直角を挟む二等辺からなる直角二等辺三角形であり、また、上記折畳片４Ｆは、前記半切り線Ｒを介して上記面グループ１１と連接し、一方、上記折畳片４Ｆは、前記重合用折り目Ｓを介して面グループ１２と連接するとともに切れ目Ｔにより面グループ１２と切り離れてなり、
そして、上記面グループ１１は折り目Ｐを介して夫々側壁面３Ｇ、上記折畳片４Ｆと連接する底面４Ｅおよび側壁面３Ｆが連接してなり、
前記面グループ１２は折り目Ｑを介して夫々底面２、側壁面３Ｅ、上記折畳片４Ｆと連接する底面４Ｄおよび側壁面３Ｄが連接した形態を備えてなることを特徴とする折畳式段ボール箱。
【請求項２】
前記蓋面２は、二分割され、この端面が中央で当接して蓋面２が閉じられてなることを特徴とする請求項１記載の折畳式段ボール箱。
【請求項３】
前記底面４Ｄは、端部に三角形状の切欠きＭを備えてなることを特徴とする請求項１記載の折畳式段ボール箱。
【考案の詳細な説明】
【技術分野】
【０００１】
この考案は、軽い部品を梱包するためのダンボール箱に関する。詳しくは、樹脂やゴム等製の部品を梱包するためのダンボール箱で、底抜けの恐れがなく、軽量で、また、製作上では、折り曲げ、折り畳み操作を簡単迅速に行え、かつ、極力安価にできるように構成した折り畳み式の段ボール箱を提供する。
【背景技術】
【０００２】
従来から使われてきた折畳式段ボール箱の、一例を図１、図２に示す。図１に示す形状に打抜かれた一枚の段ボール１００から、図２に示す段ボール箱１３０が折り上げられる。図２に示すように、この種の折畳式段ボール箱の底部は、四枚の底面がお互いに係合して形成された継ぎ目を有する。
【０００３】
図１に示す段ボール１００は、予め、平行な折り目Ｖ、Ｗおよびこれらと直角方向の平行な起立用折り目Ｙ１〜Ｙ４からなる折り癖が付けられている。そして、段ボール１００は、これらの折り目を介して支持片２１〜２３、蓋片２０、側壁面３１〜３４および底面４１〜４４が一体に連なっている。底部は、底面４１〜４４の他、係合凹部４５、係合凸部４６を備え、これらが互いに係合して箱の底を形成している。また、４枚の側壁面３１〜３４のうち、側壁面３４の上縁には、蓋片２０を連接し、他の３枚の上縁には、支持片２１〜２３を連接している。
【０００４】
段ボール１００から、平行な起立用折り目Ｙ１〜Ｙ４に沿って、４枚の側壁面３１〜３４を折り上げる。そして、折り目Ｗに沿って、底面４１〜４４を折り曲げながら、係合凹部４５、係合凸部４６を互いに係合させて箱の底部を形成する。支持片２１〜２３は、箱に折り上げられると、箱の内側から蓋片２０を支承する形態をなしている。最後に糊しろ片６１によって糊付けし、直方体状の段ボール箱１３０の形態に折り上げる。そして、図２に示すように、この折畳式段ボール箱の底部は、四枚の底面がお互いに係合されて継ぎ目が形成される。
【考案の開示】
【考案が解決しようとする課題】
【０００５】
上記の段ボール箱には、少なからぬ問題がある。即ち、４枚の底面を互いに係合させて折り上げたダンボール箱の底は、梱包物品の重みによっては、突然係合が外れ、底抜けする恐れがある。即ち、業界用語で言う、地獄底を呈する。そして、この底抜けを防止するために、継ぎ目の箇所にテープを貼る等の手間と経費を要する。また、糊しろ片の箇所で糊づけする経費が掛かる。さらに、４枚の底面が傾斜するとともに、互いに係合して重なりあう部分を有するため、段ボール箱の重量が重くなる等の問題がある。
【０００６】
本考案は、上記事情に鑑みて、一枚の段ボールから、簡単、迅速に折り上げられ、そして、底抜けする恐れがなく、軽く、極力安価に製造でき、しかも底部に継ぎ目のないダンボール箱を提供するものである。
【課題を解決するための手段】
【０００７】
上記目的を達成するために、請求項１の考案は、折畳片４Ｆとこれを挟んで夫々連接する面グループ１１と面グループ１２とからなる略矩形状の段ボール１０を折曲することにより、段ボール箱１３が折り上がる様にしたものであって、
前記折畳片４Ｆは、半切り線Ｒを底辺とし、重合用折り目Ｓと切れ目Ｔとが直角を挟む二等辺からなる直角二等辺三角形であり、また、上記折畳片４Ｆは、前記半切り線Ｒを介して上記面グループ１１と連接し、一方、上記折畳片４Ｆは、前記重合用折り目Ｓを介して面グループ１２と連接するとともに切れ目Ｔにより面グループ１２と切り離れてなり、
そして、上記面グループ１１は折り目Ｐを介して夫々側壁面３Ｇ、上記折畳片４Ｆと連接する底面４Ｅおよび側壁面３Ｆが連接してなり、
前記面グループ１２は折り目Ｑを介して夫々底面２、側壁面３Ｅ、上記折畳片４Ｆと連接する底面４Ｄおよび側壁面３Ｄが連接した形態を備えてなることを特徴とする折畳式段ボール箱である。
【０００８】
また、請求項２の考案は、請求項１の考案の上記特徴に加えて、前記蓋面２は、二分割され、この端面が中央で当接した形態で蓋面２が閉じられる折畳式段ボール箱である。
【０００９】
また、請求項３の考案は、請求項１の考案の上記特徴に加えて、前記底面４Ｄは、端部に三角形状の切欠きＭを備える折畳式段ボール箱である。
【考案の効果】
【００１０】
本考案に係る段ボール箱によれば、底部を継ぎ目のない形態に一体化することに着目したもので、重い梱包物を収納しても底抜けする恐れがない。従って、従来のいわゆる地獄底の段ボール箱のように、底部に継ぎ目のある箱とは異なり、別途、テープ等で底の補強対策を講ずる手間と経費を必要としない。そして、底部に傾斜面および係合用凹凸の重なる部分を有しないので、段ボール箱の重量が従来対比約１〜２割程軽量化される等の効果を奏するものである。
【考案を実施するための最良の形態】
【００１１】
以下に、本考案の実施例について、具体的に説明する。
【実施例１】
【００１２】
先ず、本考案の第一実施例について、図３〜図１３を参照しながら説明する。図３は、段ボール箱の展開図で段ボール１０Ａを示す。図４は、段ボール１０Ａから折り上げられた段ボール箱１３Ａを蓋面側から見た斜視図である。また、図５は、同じく、段ボール箱１３Ａを底面側から見た斜視図である。図６〜図１２には、本実施例の段ボール箱を折り上げる手順を示している。図１３は、本実施例の段ボール箱を折り上げるジグを示す。
【００１３】
先ず、この段ボール１０Ａの形態を、図３を参照しながら説明する。段ボール１０Ａは、面グループ１１Ａと面グループ１２Ａとこれらと連接する折畳片４Ｆとからなる。先ず、面グループ１１Ａには、予め、平行な折り目Ｐ１、Ｐ２、Ｐ３、Ｐ４からなる折り癖が付けられており、そして面グループ１２Ａにも、平行な折り目Ｑ１、Ｑ２、Ｑ３、Ｑ４からなる折り癖が付けられている。以下、各種の折り目は破線で図示され、以下の実施例についても同様である。
【００１４】
そして、面グループ１１Ａは、折り目Ｐを介して夫々側壁面３Ｇ、底面４Ｅおよび側壁面３Ｆが帯状に連接するとともに、この面グループ１１Ａの外側で、側壁面３Ｇの隣に支持片２Ｆと側壁面３Ｆの隣に支持片２Ｅが連接している。一方、面グループ１２Ａは、折り目Ｑを介して蓋面２、側壁面３Ｅ、底面４Ｄおよび側壁面３Ｄが連接するとともに、この面グループ１２Ａの外側で、側壁面３Ｄの隣に支持片２Ｄが連接している。そして、面グループ１１Ａと面グループ１２Ａとは、折畳片４Ｆを挟んで連接している。ここで、折畳片４Ｆは、半切り線Ｒを底辺とし、重合用折り目Ｓと切れ目Ｔが直角を挟む二等辺からなる直角二等辺三角形を形成している。このような形状および位置の関係を保ちながら、上記折畳片４Ｆは、前記半切り線Ｒを介して上記面グループ１１Ａの底面４Ｅと連接し、一方、上記折畳片４Ｆは、前記重合用折り目Ｓを介して面グループ１２Ａの底面４Ｄと連接するとともに切れ目Ｔにより面グループ１２と切り離れている。以上、略長方形の面グループ１１Ａが直角三角形状の折畳片４Ｆの底辺と連接し、略長方形のグループ１２Ａが折畳片４Ｆの二等辺の一辺と連接した関係にある。ここで、重合用折り目Ｓは、折り癖が付けられており、また、折り目Ｒには、折曲し易くするために半切り線が設けられている。一方、折り上がると、蓋面２は、支持片２Ｄ〜２Ｆによって箱の内側から支承される形態をなしている。
【００１５】
その他、蓋面２の縁には、蓋閉片５を折り目Ｎを介して連接し、また、支持片２Ｅ、２Ｆのそれぞれ両先端縁には、係合片７を合計四箇所設けている。そして、支持片２Ｄに備えた折り目Ｑ１に接して、中央部に蓋閉片５用の嵌込切れ目６と両側に係合片７用の嵌込切れ目８を設けている。また、蓋面２に備えた折り目Ｑ４に接して、両側に嵌込切れ目８を設けている。
【００１６】
次に、段ボール１０Ａから段ボール箱１３Ａへ折り上げる手順について、図６〜図１２を参照しながら説明する。図６は、段ボール１０Ａの斜視図で、これから、折り上げを開始する。図７に示すように、面グループ１１Ａは折畳片４Ｆと一体となって重合用折り目Ｓに沿って箱の内側方向へ折り曲げらながら１８０度回転して面グループ１２Ａの上に折り重なる。次いで、面グループ１１Ａのみ、半切線Ｒに沿って１８０度反転しながら、折曲げられて折畳片４Ｆの上に重なる。ここで、折畳片４Ｆは、重合用折り目Ｓを軸として、内側へ折曲げられながら１８０度回転して、底面４Ｄの上に重なる。重合用折り目Ｓと底面４Ｄの折り目Ｑ２とのなす角度が４５度なので、半切線Ｒは、この折癖の付け方からして、折り目Ｑ２の上に重なる。図７から図８の手順に示すように、上から面グループ１１Ａの底面４Ｅ、折畳片４Ｆ、その下に面グループ１２Ａの底面４Ｄが三重に折り重なる。即ち、折畳片４Ｆを間に挟んで、面グループ１２Ａの上に面グループ１１Ａが直角に交差して重なるように折り上げられる。
【００１７】
次に、図９に示すように、折り目Ｑ沿って、面グループ１２Ａの側壁面３Ｅおよび３Ｄを起立させる。また、折り目Ｐ沿って、面グループ１１Ａの側壁面３Ｆおよび３Ｇを起立させる。この起立させる途中で、段ボールの底面を、図１３に示すジグ７０の矩形状の枠線Ｕの内側に、上方から嵌込み、載せる。ここで、ジグ７０は、基板７１の上に、六個のガイド７２を枠線Ｕの外側に沿って、略等間隔に位置決めしたものである。枠線Ｕの矩形の大きさは、段ボール箱１３Ａの底面より僅か大きめに設定したものである。そして、ガイド７２の下部は直角に立ち上がり、上部は外に逃げた形態である。ジグ７０は、ガイド７２の形態からして、全体としては、上部は外に開き、下部が直角に立ち上がる形態なので、折り上げ途中の段ボールを、ガイド７２の内側へ嵌め込み易い。
【００１８】
図９から図１０のようにして、段ボール１０Ａの側壁面３Ｄ〜３Ｇが起立する。次に、支持片２Ｅ、２Ｆを箱の内側方向へ直角に折り、この上から支持片２Ｄを曲げると略、図１０から１１図に示す状態にまで折り上がる。
【００１９】
その後は、このジグ７０の中で、図３に示す支持片２Ｅおよび２Ｆに備えた４箇所の係合片７を、折り目Ｑ１、折り目Ｑ４に備えた４箇所の係合用切れ目８に嵌め込む。嵌め込んだ後の状態を、図１１に示す。この様にして、側壁面が組み上がる。
【００２０】
この様に、ジグ７０を使用することにより、誰でも簡単に、素早く段ボール箱１３Ａへ折り上げることができる。図１２に示すように、段ボール箱１３Ａに梱包物品を収納し終えたら、蓋面２を閉じ、ついで、図４に示す蓋閉片５を嵌込切れ目６に嵌め込む。ここで、蓋面２は、三枚の支持片２Ｄ〜２Ｆによって内側から支承される。この様にして、上記折り上げ途中の段ボール１０Ａが図１１から図１２の段ボール箱１３Ａの形態へと、確実に折り上げられる。なお、段ボール箱の底部は、図５に示すような継ぎ目のない形態に折り上げられる。従って、従来のいわゆる地獄底を呈する段ボール箱のように、底部は、傾斜面および係合用凹凸のような重なる部分を有しないので、軽量化される。その結果、本実施例の段ボール箱１３Ａの重量は、従来対比１５パーセント近く軽量化される。
【実施例２】
【００２１】
次に、本考案の第二実施例について、図１４、図１５を参照しながら説明する。図１４は、段ボール箱の展開図で段ボール１０Ｂを示す。図１５は、段ボール１０Ｂから折り上げた段ボール箱１３Ｂを蓋面側から見た斜視図である。
【００２２】
本実施例の第一実施例との主たる相違点は、蓋面２は、二分割されており、そのため、蓋面の開閉を側壁面の両側から行い、両側の蓋面２の端面が、中央で当接して閉じられる形態をなしているところにある。そして、支持片２Ｆも同様に二分割されており、蓋面２とは直角方向の側壁面の両側から蓋面２を箱の内側から支承する構成である。その他、蓋面２は、二分割されている関係で、両側の縁に蓋閉片５、５を夫々備えることや折り上げられた段ボール箱１３Ｂが立方体であること等が相違する。
【００２３】
先ず、この段ボール１０Ｂの形態を、図１４を参照しながら説明する。段ボール１０Ｂは、面グループ１１Ｂと面グループ１２Ｂとこれらと連接する折畳片４Ｆとからなる。先ず、面グループ１１Ｂには、予め、平行な折り目Ｐ１、Ｐ２、Ｐ３、Ｐ４からなる折り癖が、そして面グループ１２Ｂにも、平行な折り目Ｑ１、Ｑ２、Ｑ３、Ｑ４からなる折り癖が付けられている。
【００２４】
そして、面グループ１１Ｂは、折り目Ｐを介して夫々側壁面３Ｇ、底面４Ｅおよび側壁面３Ｆが帯状に連接するとともに、この面グループ１１Ｂの外側で、両側に支持片２Ｆが連接している。ここで、両端の支持片２Ｆは、同じ形状であり、側壁面３Ｇ、３Ｆの両側から観音開き扉のように閉じられる構成である。そして、折り上がった後、両側の支持片２Ｆのそれぞれ両縁の嵌込切れ目６が当接合して、中央部に嵌込孔９が形成されるようになっている。一方、面グループ１２Ｂは、折り目Ｑを介して蓋面２、側壁面３Ｅ、底面４Ｄ、側壁面３Ｄおよび蓋面２が帯状に連接している。また、面グループ１１Ｂの外側の両支持片２Ｆのそれぞれ片端縁には、係合片７を設けている。そして、蓋面２の折り目Ｑ１に接して、係合片７用の嵌込切れ目８を設けている。そして、面グループ１１Ｂと面グループ１２Ｂとが、折畳片４Ｆを挟んで連接している関係は、第一実施例と同様である。従って、同様に、重合用折り目Ｓは、折り癖が付けられており、折り目Ｒは、折曲し易くするために半切り線が設けられている。
【００２５】
そして、折り上げ手順も第一実施例と同様であり、折畳片４Ｆを間に挟んで、面グループ１２Ａの上に面グループ１１Ａが直角に交差して折り重なる。
【００２６】
第一実施例と同様に、別個のジグを使用して、誰でも簡単に、素早く段ボール箱１３Ｂを折り上げることができる。段ボール箱１３Ｂに梱包物品を収納し終えたら、両側の蓋片２を閉じ、図１５に示すように、両側から蓋閉片５を、箱の上面の支持片２Ｆが当接して形成された嵌込孔９に挿し込めば、梱包作業は完了する。また、段ボール箱の底部は、継ぎ目の無い形態に折り上げられる。従って、従来のいわゆる地獄底の段ボール箱のように、底部は、傾斜面および係合用凹凸の重なる部分を有しないので、軽量化される。その結果、本実施例の段ボール箱１３Ｂの重量は、従来対比１０パーセント強軽くなる。
【実施例３】
【００２７】
次に、本考案の第三実施例について、図１６、図１７を参照しながら説明する。図１６は、段ボール箱の展開図で段ボール１０Ｃを示す。図１７は、段ボール１０Ｃから折り上げた段ボール箱１３Ｃを底面側から見た斜視図である。
【００２８】
本実施例の第一実施例との主たる相違点は、図１６に示すように、段ボール１０Ｃの底面４Ｄに直角三角形状の切欠きＭを設けたところにある。そして、この切欠きＭは、重合用折り目Ｓを介して底面４Ｄと連接する折畳片４Ｆの反対側に位置し、切欠きＭの大きさも折畳片４Ｆと同じ大きさの直角三角形である。他は、第一実施例と全く同様である。従って、折り上げる手順も同様である。
【００２９】
本第三実施例では、底面の切欠きＭを有する分だけ、さらに段ボールの重量が軽減される。従って、本考案の目的の一つである段ボール箱の軽量化に寄与する。
【産業上の利用可能性】
【００３０】
なお、上記の各実施例では、段ボール紙を使っているが、段ボール紙以外の各種型紙や、必要に応じて、プラスチックシート等を用いても勿論よい。
【図面の簡単な説明】
【００３１】
【図１】従来例を示すもので、段ボール箱１３０を一枚の段ボール１００に展開した状態の平面図である。
【図２】同上、折上がった段ボール箱１３０を底面側から見た斜視図である。
【図３】本考案の一実施例を示すもので、直方体の段ボール箱１３Ａを一枚の段ボール１０Ａに展開した状態の平面図である。
【図４】同上、折上がった段ボール箱１３Ａを蓋面側から見た斜視図である。
【図５】同上、折上がった段ボール箱１３Ａを底面側から見た斜視図である。
【図６】同上、折上げる手順を示すもので、一枚の段ボール１０Ａに展開した状態の斜視図である。
【図７】同上、一部折り上げた状態を示す斜視図である。
【図８】同上、一部折り上げた状態を示す斜視図である。
【図９】同上、側壁面を折り上げる状態を示す斜視図である。
【図１０】同上、側壁面を折り上げる状態を示す斜視図である。
【図１１】同上、蓋面を閉じる状態を示す斜視図である。
【図１２】同上、折上がった段ボール箱１３Ａの斜視図である。
【図１３】同上、折上げるジグ７０の斜視図である。
【図１４】本考案の第二実施例を示すもので、立方体の段ボール箱１３Ｂを一枚の段ボール１０Ｂに展開した状態の平面図である。
【図１５】同上、折上がった段ボール箱１３Ｂを蓋面側から見た斜視図である。
【図１６】本考案の第三実施例を示すもので、直方体の段ボール箱１３Ｃを一枚のダンボール１０Ｃに展開した状態の平面図である。
【図１７】同上、折上がった段ボール箱１３Ｃを底面側から見た斜視図である。
【符号の説明】
【００３２】
１００　段ボール
１３０　段ボール箱
２０　蓋面
２１〜２３　支持片
３１〜３４　側壁面
４１〜４４　底面
４５　係合凹部
４６　係合凸部
６１　糊しろ片
６２　蓋閉片
Ｖ、Ｗ　折り目
Ｙ１〜Ｙ４　起立用折り目
１０　段ボール
１０Ａ〜１０Ｃ　段ボール
１１　面グループ
１１Ａ〜１１Ｃ　面グループ
１２　面グループ
１２Ａ〜１２Ｃ　面グループ
１３　段ボール箱
１３Ａ〜１３Ｃ　段ボール箱
２　蓋面
２Ｄ〜２Ｆ　支持片
３Ｄ〜３Ｇ　側壁面
４Ｄ、４Ｅ　底面
４Ｆ　折畳片
５　蓋閉片
６　嵌込切れ目
７　係合片
８　嵌込切れ目
９　嵌込孔
７０　ジグ
７１　基板
７２　ガイド
Ｍ　切欠き
Ｎ　折り目
Ｐ　折り目
Ｐ１〜Ｐ４　折り目
Ｑ　折り目
Ｑ１〜Ｑ４　折り目
Ｒ　半切り線
Ｓ　重合用折り目
Ｔ　切れ目
Ｕ　枠線
【図１】
0003099415.tif 000003
【図２】
0003099415.tif 000004
【図３】
0003099415.tif 000005
【図４】
0003099415.tif 000006
【図５】
0003099415.tif 000007
【図６】
0003099415.tif 000008
【図７】
0003099415.tif 000009
【図８】
0003099415.tif 000010
【図９】
0003099415.tif 000011
【図１０】
0003099415.tif 000012
【図１１】
0003099415.tif 000013
【図１２】
0003099415.tif 000014
【図１３】
0003099415.tif 000015
【図１４】
0003099415.tif 000016
【図１５】
0003099415.tif 000017
【図１６】
0003099415.tif 000018
【図１７】
0003099415.tif 000019